(57)【要約】  本発明の目的は、付加の遮断バルブが手動で閉じられたときだけに、ガスプラグを連結または断絶させるガスプラグコネクタを案出することである。このために、ガスプラグコネクタのハウジング（１）は、一方では案内デバイス（３７）に取り付けられ且つハウジング（１）のベース（２）に据え付けたプランジャ（１１，１２）の一端部が支持されるスイッチエレメント（３５）用の軸受（３６）を有するのに対し、プランジャ（１１，１２）の他端部はベース（２）のガス導通チェンバ（７）内に設置される遮断バルブ（８）のバルブヘッド（１５）に連結される。他方では、スイッチエレメント（３５）はロッキング装置に連結され、該ロッキング装置によってガスプラグ（５７）の挿入をスイッチエレメント（３５）の位置によって防ぐことができる。
2008501915.tif 000002
【特許請求の範囲】
【請求項１】
ガスプラグコネクタを固定ガスパイプと確実に連結させるために入口ソケット（５）を有するベース（２）からなるハウジング（１）と、ベース（２）内でガスプラグ（５７）および遮断装置（２３）を連結するための出口ソケット（６）であって、外部との気密性を確立した後にガスプラグ（５７）が連結されたときだけ内部ガス通路を開く出口ソケット（６）と、ガスプラグ（５７）が切り離されたときにカバー（５１）を用いて出口ソケット（６）の接続開口（３０）を覆うフード（３）と、全体が相互に連結されているベースプレート（４）とを備えるガスプラグコネクタにおいて、ハウジング（１）は、一方では案内デバイス（３７）と適合するスイッチエレメント（３５）用の軸受（３６）を有し、該案内デバイスによってベース（２）に据え付けたプランジャ（１１，１２）の一端部が支持される一方、その他端部は、遮断バルブ（８）がスイッチエレメント（３５）を経てその開放および閉鎖位置に来られるように、ベース（２）のガス導通チェンバ（７）に配置された遮断バルブ（８）のバルブヘッド（１５）に連結され、他方では、スイッチエレメント（３５）はロッキング装置に連結され、該ロッキング装置を用いて、遮断バルブ（８）がその開放位置にあるときにガスプラグ（５７）の挿入が防止される一方、遮断バルブ（８）がその閉鎖位置にあるときに挿入を可能とすることを特徴とするガスプラグコネクタ。
【請求項２】
スイッチエレメント（３５）をベースプレート（４）に据え付けることを特徴とする請求項１に記載のガスプラグコネクタ。
【請求項３】
プランジャ(１１，１２)が、バネエレメント（１３）によって相互に連結される両部分を有するその前後方向の２部分であることを特徴とする請求項１または２に記載のガスプラグコネクタ。
【請求項４】
流れ方向に閉じる遮断バルブ(８)は、プランジャ（１１，１２）上で軸方向に移動可能なバルブヘッド（１５）を有し、該バルブヘッドは、開口の方向に作用するバネ（１８）の弾力下に、プランジャ（１１，１２）上のフランジ（１６）で留まることを特徴とする請求項１から３のいずれかに記載のガスプラグコネクタ。
【請求項５】
ロッキング装置は、出口ソケット(６)の軸線に対して垂直方向に移動可能である掛止めスライド（４１）であることを特徴とする請求項１または２に記載のガスプラグコネクタ。
【請求項６】
ロッキング装置は、回転中心がプランジャ（１１，１２）の軸線と出口ソケット（６）の軸線との間に位置決めされるロッカースイッチ（６２）であることを特徴とする請求項１または２に記載のガスプラグコネクタ。
【請求項７】
出口ソケット（６）上で軸方向に移動可能な締付けリング（３１）であって、ロッキング装置によって保持バネ（３２）の弾力下に支持される該締付けリングを有し、それによって、出口ソケットの周辺で放射状の案内開口部（２８）内に配置される保持ボール（２９）が、締付けリング（３１）の内部案内デバイス（３３）を介して、締付けリング（３１）の軸方向移動によって公知のように放射方向に移動可能であるガスプラグコネクタにおいて、ロッキング装置は、該ロッキング装置の縦移動が結果として締付けリング（３１）の軸方向移動になるように、フォーク状の態様で締付けリング（３１）を取り囲む２本の対称配置のリムを有することを特徴とする請求項５または６に記載のガスプラグコネクタ。
【請求項８】
ワイヤ状部（４７）は、掛止めスライド（４１）の軸方向に曲げた２本の対称配置のリム（５０）によって出口ソケット（６）の環状溝（６３）内に設置され、該リムは掛止めスライド（４１）のテーパー案内円錐部（５８）内へ突出し、且つ幾つかのリング状のラッチローラ（５９）は、ワイヤ状部（４７）のラインに配置され、該ラッチローラは、案内円錐部（５８）によって定められた両リム（５０）間の距離および溝（６３）内に設置されたワイヤ状部（４７）の結果直径に依存して、該溝の基部において放射状の案内開口部から出口ソケット（６）の内部に突出することを特徴とする請求項５に記載のガスプラグコネクタ。
【発明の詳細な説明】
【技術分野】
【０００１】
本発明は、入口側で固定ガスパイプと確実な連結を設定し且つ出口側でガスプラグ特にガスチューブプラグに接続をもたらすガスプラグコネクタに関し、外部との気密性が確立した後にガスプラグが接続されると、ガスの内部流れだけを解放する遮断装置をハウジング内に有するガスプラグコネクタに関する。
【背景技術】
【０００２】
ガスプラグコネクタは、固定ガスパイプと、家庭用調理器、衣類乾燥機またはグリルのようなガス操作器具とを接続する手段を提供する。これらは、ガス操作器具をガスパイプに接続する単純な手段を提供する。
【０００３】
前記のタイプのガスプラグコネクタは、独国特許第１００６１６５３号に開示されている。このガスプラグコネクタは、固定ガスパイプとの確実な接続を行うための一体の入り口ソケットを有するベースと、該ベースにネジ止めされた出口ソケットと、ガスプラグを受け入れるために所定の距離で出口ソケットの外周面を取り囲み且つ他方ではベースにネジ止めされるベースプレートとからなる。さらに、ベースプレートは、壁面取り付けが必要とされる壁にユニットを固着するために用いることができる。フードはベースに取り付け、該フードは、ガスプラグが切り離されるときに出口ソケットの接続開口をカバーで密閉する。
【０００４】
特にアウトドアでガスプラグコネクタを使用するときにより高い安全性のために、ガスパイプは手動で閉じることができることが望ましい。さらに、ガスプラグが手動で開かれるならば、ガスプラグを切り離しまたは接続することを防止することができるべきである。これは、前述したタイプのガスプラグコネクタでは可能でない。
【０００５】
従来、前記の要件に適合させる普通の方法は、このような目的のために公知のボールパイプをガスパイプに取り付けることにより、ガスプラグのためにソケット接続を用いる側ボールバルブの出口では通常のネジ部に変形されている。
【０００６】
このソケット接続は、ガス出口の周囲の放射状の案内開口部において、ガス出口で軸方向に移動可能な保持スリーブを用いて放射方向に位置を変えることができるように移動可能な保持ボールを有する。保持ボールの位置は、ガスプラグが接続されるかまたは切り離しされるかのいずれかで決定する。さらに、ボールバルブの操作ハンドルのデザインのために、保持スリーブは、ボールバルブが開かれると保持ボールが閉鎖位置になるような位置に取り付けられる。
【０００７】
さらに、遮断バルブは、ガスプラグが接続されると該ガスプラグによって開かれるボールバルブの内部に収納される。
【０００８】
このタイプの欠点は、ガス出口の開口がカバーされず且つ異物の貫通に対する保護がなされていないことである。さらに、このタイプは、壁面でのフラッシュ据え付けに適しておらず、且つその外観は、見ることができるリビング領域または他の領域で使用するのが望ましいようにはなっていない。
【特許文献１】独国特許第１００６１６５３号明細書
【発明の開示】
【０００９】
本発明の目的は、付加の遮断バルブを手動で閉じたときだけ接続および切り離しが可能であることによって、ガスプラグを迅速に接続および切り離しできる記述したタイプのガスプラグコネクタを案出することである。さらに、ガスプラグコネクタは、ガスプラグを接続しないときに異物の貫通に対する保護を行うべきである。加えて、ガスプラグコネクタは、フラッシュ据え付けに適合させ且つ見ることができるリビング領域または他の領域で使用するのに適した外観であるべきである。これらの要件は、本発明によって下記のように満たされている。ガスプラグコネクタのハウジングは、一方では案内デバイスと適合するスイッチエレメント用の軸受を有し、該案内デバイスによってハウジングのベースに据え付けたプランジャの一端部が支持される一方、該プランジャの他端部は、ベースのガス導通チェンバ内に配置された遮断バルブのバルブヘッドに連結され、該遮断バルブがスイッチエレメントを経てその開放および閉鎖位置に移動できるようになる。他方では、スイッチエレメントはロッキング装置に接続され、該ロッキング装置によって、遮断バルブがその開放位置にあるならばガスプラグの接続が防止される一方、遮断バルブがその閉鎖位置にあるならば接続を可能とする。
【００１０】
これによって、前述した現状の技術における欠点を取り除く方法を提供している。スイッチエレメントの手動操作は、遮断バルブを介してガスパイプを開放または閉鎖するとともに、結果として同時にガス供給を遮断または開放することになる。カバーは、ガスプラグを接続しないときに接続開口を密閉し、それによって異物の貫通を防止している。
【００１１】
本発明の付加的で有益な設計は、他の請求項に提示されている。例えば、スイッチエレメントをベースプレートに据え付けるならば特に有益である。
【００１２】
可能な限り組み立ておよび製造を単純化するために、プランジャが、バネエレメントによって相互に連結される両部分を有するその前後方向の２部分であるならば有益である。
【００１３】
さらに、特に有益な実例では、ガス流れ方向に閉じる遮断バルブがプランジャ上で軸方向に移動可能のバルブヘッドを有し、該プランジャは、開口の方向に作用するバネの弾力下に、該プランジャ上に設置したハードストップで留まる。適切に設計されたバネによって、流量値が特定の容量を超えたならば、例えば、ガスパイプにおいて漏れ下流で起こりうるのと同様に、本来は手動操作される遮断バルブを自動的に開かせることがこの配置によって可能であり、それによって安全性をよりいっそう高めることになる。
【００１４】
ガスパイプが手動で開かれたとき、スイッチエレメントに接続したロッキング装置によってガスプラグを切り離しまたは接続されることを防止するための簡単な解決策は、ロッキング装置を出口ソケットの軸線に対して垂直方向に移動可能である掛止めスライドとして形成するか、またはロッキング装置を回転中心がプランジャの軸線と出口ソケットの軸線との間にあるロッカースイッチとして形成することである。
【００１５】
ここでは締付けリングを使用するならば有益であり、該締付けリングは、出口ソケット上で軸方向に移動可能であり且つ２本の対称配置のリムを有するロッキング装置によってバネの弾力下に支持され、それによって出口ソケットの周辺で放射状の案内開口部内に配置される保持ボールが、締付けリングの内部案内デバイスを経て、該締付けリングの軸方向移動によって公知のように放射方向に移動可能であり、それによってロッキング装置の縦移動が結果として締付けリングの軸方向移動になるように、リムがフォーク状の態様で締付けリングを取り囲んでいる。
【００１６】
ロッキング装置として、掛止めスライドを用いるとさらに有利な解決策を提供するものであり、それによって、ワイヤ状部は、掛止めスライドの軸方向に曲げ且つ掛止めスライドのテーパーガイド円錐部内へ突出する２本の対称配置のリムによって、出口ソケットの環状溝に嵌め込まれている。幾つかのリング状のラッチローラは、ワイヤ状部のラインに配置され、該ラッチローラは、ガイド円錐部によって定められた両リム間の距離および溝内に設置された該ワイヤ状部の部分の結果直径に依存して、該溝の基部に設けた放射状の案内開口部から出口ソケットの内部に突出する。
【実施例】
【００１７】
次に、本発明に係るガスプラグコネクタは、以下の実施例によってより詳細に説明されるものである。
【００１８】
本発明に係るガスプラグコネクタは、図１に示すようにフラッシュ取り付けに適した例において、堅く連結されたベース２、フード３およびベースプレートからなるマルチポートハウジング１を有する。
【００１９】
ガスプラグコネクタを固定ガスパイプ（図示しない）に堅く相互連結させるための雄ネジ部を有する入口ソケット５と、寸法を合わせるガスプラグ５７を受け入れるのに役立つ出口ソケット６とは、ベース２にネジ止めされている。ここで入口ソケット５は、公知の熱遮断装置の形状であればよく、それ故にここではより詳細には説明しない。
【００２０】
出口ソケット６の軸線と平行に、ベース２は、ガス導通チェンバ７内へ入る別の開口を有し、該チェンバを閉じる遮断バルブ８を操作することができる。このために、遮断バルブ８のリング状弁座は、この場合に鋸歯状の刻み目を刻設している。以下でより詳細に説明される遮断バルブ８であって、この実施例で用いる遮断バルブ８は、同時に安全遮断装置として設計され、該遮断装置は、流量が所定の容量を超えるとガス導通チェンバ７を閉じる。
【００２１】
図４に断面で示した開放位置における遮断バルブ８の弁座９は、外側に放射状のリッジ４４を有し、該リッジは、周辺に平らに分配され、且つバネエレメント１３によって確実に相互連結された２部分を有する２分割プランジャ１１，１２の第１部分１１のために中心配置の軸受１０を形成する。バルブヘッド１５は、流れ方向に閉じ且つ前後方向に移動可能であって、且つフランジ１６とバルブヘッド１５との間で弾性密閉エレメントとして役立つＯ−リング１７を有し、該バルブヘッドは、その入口端にフランジ１６を有するプランジャ１１に取り付け、該フランジの位置は、以下でより詳細に説明される閉鎖流量を調整または設定するために、好ましくは変更することができる。リッジ４４で支持されたバネ１８の作用のもとに、開放位置におけるバルブヘッド１５は、Ｏ−リング１７で支持されるのに対して、閉鎖位置におけるバルブヘッド１５は、弁座９内に配置され且つＯ−リング５５として形成した弾性密閉エレメントによって支持される。
【００２２】
開口６５を閉じるブッシュ１９において、プランジャ１１，１２の部分１２が軸受で前後方向に移動可能であり、且つ気密状態で外方へ導かれる。プランジャ１１，１２は、ブッシュ１９で支持されるバネ２０によって遮断バルブ８の閉鎖方向に付勢される。
【００２３】
また、ハウジング１の一部を形成するベースプレート４は、ユニットを壁に、特に住宅ビルディングにおいて、しばしば用いられる種類の概略で示したカーテンウォール４５に固着するのに使用することができ、該ベースプレートは、例えば、ネジとダボによりあるいは直接ないし用語として独自のフラッシュソケットを介して公知の手段で固着される。カーテンウォール４５中へ突入する筒状のフランジ２１は、以下でより詳細に説明される所定の距離でベース２から突出する出口ソケット６の外周面を取り囲む。ベースプレート４は、例えば、図示されないネジ部材によってベース２に連結される。
【００２４】
ベース２内へ突入する出口ソケット６の端部は、遮断装置２３用の弁座２２を形成し、該装置の閉鎖本体２４は、出口ソケット６の軸線ならびに弁座２２に対して前後方向に移動可能になるように、案内アタッチメント２５でベース２に据え付けられる。ここで閉鎖
本体２４は、閉鎖の方向において、一端でベース２の内壁に且つ他端で閉鎖本体２４で支持される閉鎖バネ２６の弾力下にある。閉鎖本体２４上に配置し且つ閉鎖位置で弁座２２によって支えられるＯ−リング２７は、気密を保証するのに役立つ。閉鎖本体２４は、軸方向延長部５６によって出口ソケット６内へ突入する。
【００２５】
ベース２から離れた先端の領域において、出口ソケット６は、その周囲に分配されるが一平面内で放射状に並んだいくつかの案内開口部２８を有する。これらの案内開口部２８のそれぞれに、保持ボール２９が接続開口３０へ部分的に突出するように配置されることにより、案内開口部２８の直径が接続開口３０の方向へ減少することで保持ボール２９が脱落することを防止する。
【００２６】
出口ソケット６上には、軸方向に移動可能な締付けリング３１があり、該リングはフランジ２１内で確実に案内されるので放射方向に変形することが防がれている。図３から明らかなように、八角形の輪郭は、一方では可能な限り簡単に締付けリング３１を製造するため、他方ではベース２で支持された保持バネ３２の作用下に軸方向において締付けリング３１と可能な限り狭い間隔にするために選択される。締付けリング３１内に設置された内部案内デバイス３３によって、保持ボール２９は、出口ソケット６上での締付けリング３１の位置によって、接続開口３０が完全に開放されるように案内開口部中で保持されるか、または部分的に接続開口３０へ突出するまで案内開口部２８の中へ押し込まれる。
【００２７】
カーテンウォール４５に固着したベースプレート４は、少なくとも部分的に周辺を取り巻く頸状部４６を有し、該頸状部において、特にフード内に配置した留め金４８が、フードがベースプレート４を覆うように取り付けられるとぴったり固定する。
【００２８】
ガスプラグコネクタの正面での図２に示したフード３は、その正面において、長方形孔４９の一部の背後に配置した出口ソケット６の接続開口３０を含む長方形の孔４９と、以下でより詳細に説明するスイッチエレメント３５用の開口６４とを有する。縦方向に移動可能なカバー５１は、フード３とベースプレート４との間に設置される。
【００２９】
図２からフード２およびカバー５１を除いたガスプラグコネクタを示す図３から明らかなように、接続開口３０の両側にベースプレート４内で支持されるバネ用の案内路５２がある。このバネの他端での作用により、ガスプラグが接続されないとき、出口ソケット６の開口部３０を露出させる長方形孔４９の領域まで、カバー（図３には図示しない）を閉じることになる。
【００３０】
さらに、前述したスイッチエレメント３５は、ベースプレート４の凹み３４から突出し、プランジャ１１，１２の縦軸線の平面にあるスイッチエレメント３５の旋回軸によって、ベースプレート４内に設置した対応軸受３６の回りで旋回する。ベース２に向いた側面には、スイッチエレメント３５は、プランジャ１２の先端が支持される案内デバイス３７を有する。案内デバイス３７は、遮断バルブ８が開放または閉鎖位置にあると固定される２個の閉込め位置３８，３９を有する。可能な限り簡単に製造するために、バネエレメント１３は、プランジャ１１，１２の２部分間での公差補正部材としても役立つ。
【００３１】
出口ソケット６に向いた側面には、スイッチエレメント３５は、ロッキング装置として役立つ掛止めスライド４１が軸受に達する円錐形の取付部４０を有する。スイッチエレメント３５から離隔した下端で、掛止めスライド４１は、締付けリング３１をフォーク状に取り囲む２個の対称配置のリム４２を有し、それによって掛止めスライド４１の縦移動が結果として締付けリング３１の軸方向移動になるように、締付けリング３１に設置した案内デバイス４３へ突き出している。この一連の操作は、図５の詳細図から明らかなように、案内突出部５４を有する掛止めスライド４１の２本のリム４２それぞれを設置する簡単方法で達成され、該案内突出部に対して、傾斜状の案内デバイス４３は、保持バネ３２の作用下で軸方向に付勢されている。
【００３２】
実施例に記載したガスプラグコネクタの機能モードは次の通りである。
【００３３】
図１において、ガスプラグコネクタは、カバー５１で覆われた接続開口３０を有する出口ソケット６によって閉鎖位置にある。ガスプラグ５７が挿入されていないので、遮断装置２３も閉鎖されている。また、スイッチエレメント３５が閉鎖位置にあるので、プランジャ１２は閉込め位置３９に留まり、且つガス導通チェンバ７が閉じられるように、バルブヘッド１５は弁座９に設置したＯ−リング５５に押し付けられ、同時にＯ−リング５５とフランジ１６との間でＯ−リング１７に押し付けられる。スイッチエレメント３５によって、締付けリング３１は、取付部４０および掛止めスライド４１を介して、内部案内デバイス３３に留まる保持ボール２９が接続開口３０を開放するような位置へ到達している。
【００３４】
この位置において、接続開口３０が開かれるまでカバー５１がバネ５３の弾力に逆らって移動された後に、ガスプラグ５７を挿入することができ、そして遮断装置２３を延長部５６を介して開くことが可能である。スイッチエレメント３５の一連の作動の後に、案内デバイス３７に接するプランジャ１２は閉込め位置３８まで動かされる。プランジャ１１に着座したＯ−リング１７がバルブヘッド１５を開き、且つバネ１８がバルブヘッド１５を開放位置へ移動しうるように、バルブヘッド１５とプランジャ１１との間に発生する漏れ流れを経て圧力補正が行われる。固定ガスパイプとの接続が行われ、同時に締付けリング３１は、保持ボール２９が接続開口３０へ突出するような前述した位置へ動かされ、それによってガスプラグ５７をロックしてその脱離を防止する。
【００３５】
この連結を元に戻すために、スイッチエレメント３５がまず作動されなければならず、それによって遮断バルブ８を閉じる。その時にのみ、ガスプラグ５７を取り除くことが可能であり、その後に遮断装置が閉じられる。ガスプラグ５７がバネ５３の弾力下にあるカバー５１を自由にした後に、該カバーで接続開口３０を閉じる。ガスプラグコネクタは、再び図１に示されたように閉じられる。
【００３６】
例えば、ガスプラグ５７を連結している時にガスホースなどの破裂が生じ、フランジ１６の位置で設定されたバネ１８の弾力による閉鎖流量よりも多い流量になるならば、バルブヘッド１５は、バネ１８の弾力に逆らってプランジャ１１上で移動し、そして安全閉鎖装置として機能する遮断バルブ８を閉じる。
【００３７】
ガスプラグコネクタの異なる実例において、出口ソケット６上で軸方向に移動可能な締付けリング３１は、前述したように用いられ、内部案内デバイス３３によって保持ボール２９の位置に影響を及ぼす。
【００３８】
しかしながら、旋回ロッカースイッチ６２はベースプレート４において軸受６１で位置決めされ、該スイッチの一端部は締付けリング３１の溝６３で支持される一方、その他側端部はプランジャ１２（図７および図８）まで延設される。軸受６１をベース２内にも設置することができ、および／またはロッカースイッチ６２をスイッチエレメント３５と連結できることは言うまでもない。
【００３９】
ガスプラグコネクタのさらに別の実例を図９から図１１に示す。他の点では前述したものと基本的に同一であるこの実例において、出口ソケット６は、ベース２から離れた先端部の領域において環状溝１４を有し、この先端部領域において、図１１に示すようなワイヤ状部４７は２本の平行屈曲リム５０によって位置決めされ、両リムは掛止めスライド４１の漏斗状の案内円錐部５８内に突出し、該掛止めスライドはその一部についてはスイッチエレメント３５の円錐形の取付部４０に取り付けられる。幾つかの円柱形ラッチローラ、この場合には３個の円柱形ラッチローラが、ワイヤ状部４７の環状部分にネジ止めされる。これらのラッチローラ５９は、出口ソケット６の内部に突出する放射状の案内開口部内に配置され、組み立てを容易化するために、好ましくは出口ソケット６の軸方向配向の孔６０から形成される。
【００４０】
これらの操作モードは、前記の実施例で説明したものと同様である。
【００４１】
漏斗状の案内円錐部５８へのリム５０の貫通深さに依存して、ワイヤ状部４７の直径は、結果としてラッチローラ５９の放射状位置が出口ソケット６の縦軸線となるように変更される。これは、遮断バルブ８が開かれるときに、挿入されたガスプラグ５７の必要な締め付けを可能とするものである。
【００４２】
本発明に係るガスプラグコネクタは、勿論、説明した実施例に限定されるものではない。その反対に、変更、変形および組み合わせが、本発明の範囲内で可能である。
【００４３】
例えば、ロッキングデバイスの位置決めおよび／または設計は、保持ボール２９の数のように変更することができる。さらに、ガスプラグコネクタは、表面設置取り付けとして知られた変形体のように設計することも可能である。
【図面の簡単な説明】
【００４４】
【図１】閉鎖位置におけるガスプラグコネクタを示す断面図である。
【図２】図１のガスプラグコネクタをＡから見た側面図である。
【図３】図２のガスプラグコネクタから外側を切り取った側面図である。
【図４】図１のＢにおける詳細断面図である。
【図５】図３のＣ−Ｃから見た詳細側面図である。
【図６】開放位置における図１のガスプラグコネクタを示す断面図である。
【図７】閉鎖位置におけるガスプラグコネクタの第２実例を示す断面図である。
【図８】図７のガスプラグコネクタをDから見た且つ外側を切り取った側面図である。
【図９】ガスプラグコネクタの第３実例の外側切り取り側面図である。
【図１０】図９のＥ−Ｅから見た断面図である。
【図１１】図１０のＦから見たワイヤ状部の詳細側面図である。
【符号の説明】
【００４５】
１    ハウジング
２    ベース  
３    フード
４    ベースプレート
５    入口ソケット
６    出口ソケット
７    チェンバ
８    遮断バルブ
９    弁座
１０    軸受
１１    プランジャ（第１部分）
１２    プランジャ（第２部分）
１３    バネエレメント
１４    溝
１５    バルブヘッド
１６    フランジ
１７    Ｏ−リング
１８    バネ
１９    ブッシュ
２０    バネ
２１    フランジ
２２    弁座
２３    遮断装置
２４    閉鎖本体
２５    案内アタッチメント    
２６    閉鎖バネ
２７    Ｏ−リング
２８    案内開口部
２９    保持ボール
３０    接続開口
３１    締付けリング
３２    保持バネ
３３    内部案内デバイス
３４    凹み
３５    スイッチエレメント
３６    軸受
３７    案内デバイス
３８    閉込め位置
３９    閉込め位置
４０    取付部
４１    掛止めスライド
４２    リム
４３    案内デバイス
４４    リッジ
４５    カーテンウォール
４６    頸状部
４７    ワイヤ状部
４８    留め金
４９    長方形孔
５０    リム
５１    カバー
５２    案内路  
５３    バネ
５４    ガイドラグ
５５    Ｏ−リング
５６    延長部
５７    ガスプラグ
５８    案内円錐部
５９    ラッチローラ
６０    孔
６１    軸受
６２    ロッカースイッチ
６３    溝
６４    開口
６５    開口
【図１】
2008501915.tif 000003
【図２】
2008501915.tif 000004
【図３】
2008501915.tif 000005
【図４】
2008501915.tif 000006
【図５】
2008501915.tif 000007
【図６】
2008501915.tif 000008
【図７】
2008501915.tif 000009
【図８】
2008501915.tif 000010
【図９】
2008501915.tif 000011
【図１０】
2008501915.tif 000012
【図１１】
2008501915.tif 000013
【国際調査報告】
2008501915.tif 000014
2008501915.tif 000015
2008501915.tif 000016
2008501915.tif 000017